(57)【要約】【課題】検索の精度をより高めた医療機関検索装置等を提供する。【解決手段】患者の疾患名の疾患に処置して対応する能力を示す複数の処置対応項目の中から選択された処置対応項目を取得し（Ｓ１からＳ４）、疾患名の処置対応項目毎に対して医療機関を評価した評価情報を記憶した評価記憶手段（評価ＤＢ１２ｄ）から、取得した処置対応項目に基づき、評価情報に応じて医療機関を検索する（Ｓ６）。【選択図】図９
2019046364.tif 000002
【特許請求の範囲】
【請求項１】
患者の疾患名の疾患に処置して対応する能力を示す複数の処置対応項目の中から選択された前記処置対応項目を取得する項目取得手段と、
前記疾患名の前記処置対応項目毎に対して医療機関を評価した評価情報を記憶した評価記憶手段から、前記取得した処置対応項目に基づき、前記評価情報に応じて医療機関を検索する検索手段と、
を備えたことを特徴とする医療機関検索装置。
【請求項２】
請求項１に記載の医療機関検索装置において、
前記疾患名の疾患に対する複数の前記処置対応項目は、前記処置の難易度によりレベル分けされた処置対応項目であることを特徴とする医療機関検索装置。
【請求項３】
請求項１または請求項２に記載の医療機関検索装置において、
１つの前記疾患名の疾患に対する前記処置対応項目の数に、上限を設けたことを特徴とする医療機関検索装置。
【請求項４】
請求項１から請求項３のいずれか１項に記載の医療機関検索装置において、
前記検索手段は、前記取得した処置対応項目に対する評価情報の評価値が、所定の値の前記医療機関を検索することを特徴とする医療機関検索装置。
【請求項５】
請求項１から請求項４のいずれか１項に記載の医療機関検索装置において、
前記項目取得手段が、前記処置対応項目が前記疾患名に紐付いて記憶した項目記憶手段を参照してユーザにより入力された前記疾患名に基づき抽出されて、前記ユーザに提示されて選択された前記処置対応項目を取得することを特徴とする医療機関検索装置。
【請求項６】
請求項１から請求項５のいずれか１項に記載の医療機関検索装置において、
前記疾患名の各前記処置対応項目を表示手段に出力させる項目出力手段を更に備えたことを特徴とする医療機関検索装置。
【請求項７】
請求項１から請求項６のいずれか１項に記載の医療機関検索装置において、
前記項目取得手段が、前記患者の疾患名に関連する合併症の複数の処置対応項目の中から選択された前記合併症の処置対応項目を取得し、
前記検索手段が、前記評価記憶手段から、前記取得した合併症の処置対応項目に基づき、前記評価情報に応じて前記医療機関を検索することを特徴とする医療機関検索装置。
【請求項８】
請求項７に記載の医療機関検索装置において、
前記合併症の各前記処置対応項目を、表示手段に出力させる合併症出力手段を更に備えたことを特徴とする医療機関検索装置。
【請求項９】
請求項１から請求項８のいずれか１項に記載の医療機関検索装置において、
前記処置対応項目は、症候群を示す項目を含むことを特徴とする医療機関検索装置。
【請求項１０】
項目取得手段が、患者の疾患名の疾患に処置して対応する能力を示す複数の処置対応項目の中から選択された前記処置対応項目を取得する項目取得ステップと、
検索手段が、前記疾患名の前記処置対応項目毎に対して医療機関を評価した評価情報を記憶した評価記憶手段から、前記取得した処置対応項目に基づき、前記評価情報に応じて医療機関を検索する検索ステップと、
を含むことを特徴とする医療機関検索方法。
【請求項１１】
コンピュータを、
患者の疾患名の疾患に処置して対応する能力を示す複数の処置対応項目の中から選択された前記処置対応項目を取得する項目取得手段、および、
前記疾患名の前記処置対応項目毎に対して医療機関を評価した評価情報を記憶した評価記憶手段から、前記取得した処置対応項目に基づき、前記評価情報に応じて医療機関を検索する検索手段として機能させることを特徴とする医療機関検索装置用プログラム。
【請求項１２】
患者の疾患名の情報を取得する取得手段と、
前記疾患名の疾患に処置して対応する能力を示す少なくとも１つの処置対応項目を前記疾患名に紐付いて記憶した項目記憶手段から、前記取得した疾患名の情報に基づき、前記処置対応項目を取得して、表示手段に表示する制御をする項目表示制御手段と、
前記表示された処置対応項目から選択された処置対応項目に基づき、前記疾患名の前記処置対応項目毎に対して医療機関を評価した評価情報を記憶した評価記憶手段から前記医療機関を検索した検索結果を、前記表示手段に表示する制御をする検索結果表示制御手段と、
を備えたことを特徴とする表示制御装置。
【発明の詳細な説明】
【技術分野】
【０００１】
本発明は、医療機関を検索する医療機関検索装置、医療機関検索方法、医療機関検索装置用プログラム、および、表示制御装置の技術分野に関する。
【背景技術】
【０００２】
医療機関に関するデータに基づき、患者の疾患や症状から医療機関の検索が行われている。例えば、特許文献１には、利用者の健康に関わる定量的な値や定性的な値を日時と共に健康履歴として保存し、健康履歴をもとに利用者の疾患や症状を推定し、利用者の検索要求と推定された疾患や症状に合致する医療機関を検索する医療機関検索システムが開示されている。
【先行技術文献】
【特許文献】
【０００３】
【特許文献１】特開２００５−１９６５１０号公報
【発明の概要】
【発明が解決しようとする課題】
【０００４】
ところで、ある疾患に対処する場合、対処の仕方として、その疾患特有の薬剤調整が必要であることがあり、ある医療機関では、対処できないことがあった。そのため、単に疾患名で医療機関を検索したのでは、ある処置に対処できない医療機関を含むことになり精度よく検索できないことがあった。また、大病院での治療から診療所等の医療機関での治療に移る頃には、症状は、急性期が過ぎ、症状というものが大方おさまった後は慢性期と呼ばれる時期になり、症状が強く残っていないことが多く、症状の差が出にくかった。しかしながら、特許文献１のような従来技術では、疾患や症状で検索するため、患者に合った医療機関を的確に検索できるとは限らず、検索の精度が高くなかった。
【０００５】
本発明は、このような問題に鑑みてなされたものであり、その課題の一例は、検索の精度をより高めた医療機関検索装置等を提供することを目的とする。
【課題を解決するための手段】
【０００６】
上記課題を解決するために、請求項１に記載の発明は、患者の疾患名の疾患に処置して対応する能力を示す複数の処置対応項目の中から選択された前記処置対応項目を取得する項目取得手段と、前記疾患名の前記処置対応項目毎に対して医療機関を評価した評価情報を記憶した評価記憶手段から、前記取得した処置対応項目に基づき、前記評価情報に応じて医療機関を検索する検索手段と、を備えたことを特徴とする。
【０００７】
請求項１０に記載の発明は、項目取得手段が、患者の疾患名の疾患に処置して対応する能力を示す複数の処置対応項目の中から選択された前記処置対応項目を取得する項目取得ステップと、検索手段が、前記疾患名の前記処置対応項目毎に対して医療機関を評価した評価情報を記憶した評価記憶手段から、前記取得した処置対応項目に基づき、前記評価情報に応じて医療機関を検索する検索ステップと、を含むことを特徴とする。
【０００８】
請求項１１に記載の発明は、コンピュータを、患者の疾患名の疾患に処置して対応する能力を示す複数の処置対応項目の中から選択された前記処置対応項目を取得する項目取得手段、および、前記疾患名の前記処置対応項目毎に対して医療機関を評価した評価情報を記憶した評価記憶手段から、前記取得した処置対応項目に基づき、前記評価情報に応じて医療機関を検索する検索手段として機能させることを特徴とする。
【０００９】
請求項１２に記載の発明は、患者の疾患名の情報を取得する取得手段と、前記疾患名の疾患に処置して対応する能力を示す少なくとも１つの処置対応項目を前記疾患名に紐付いて記憶した項目記憶手段から、前記取得した疾患名の情報に基づき、前記処置対応項目を取得して、表示手段に表示する制御をする項目表示制御手段と、前記表示された処置対応項目から選択された処置対応項目に基づき、前記疾患名の前記処置対応項目毎に対して医療機関を評価した評価情報を記憶した評価記憶手段から前記医療機関を検索した検索結果を、前記表示手段に表示する制御をする検索結果表示制御手段と、を備えたことを特徴とする。
【発明の効果】
【００１０】
本発明によれば、疾患に処置して対応する能力を示す処置対応項目で疾患名を分類し、医療機関を疾患の各処置対応項目で評価した評価記憶手段を使用するので、患者の疾患に対する処置に合った医療機関を、精度よく検索することができる。
【図面の簡単な説明】
【００１１】
【図１】本発明の実施形態に係る医療機関検索システムの概要構成例を示す模式図である。
【図２】図１の情報処理サーバ装置の概要構成の一例を示すブロック図である。
【図３Ａ】図２の処置対応項目データベースに記憶されたデータの一例を示す模式図である。
【図３Ｂ】処置対応項目のレベルと対応力との関係の一例を示す模式図である。
【図４】図２の合併症データベースに記憶されたデータの一例を示す模式図である。
【図５】図２の医療機関データベースに記憶されたデータの一例を示す模式図である。
【図６】図２の評価データベースに記憶されたデータの一例を示す模式図である。
【図７】図１の端末装置の概要構成の一例を示すブロック図である。
【図８】図１の端末装置における検索画面の一例を示す模式図である。
【図９】図１の医療機関検索システムの動作例を示すフローチャートである。
【図１０】図１の端末装置における検索画面の一例を示す模式図である。
【図１１】図１の端末装置における検索画面の一例を示す模式図である。
【図１２】図１の医療機関検索システムの動作の変形例を示すフローチャートである。
【図１３】図１の端末装置における検索画面の変形例を示す模式図である。
【図１４】図１の端末装置における検索画面の変形例を示す模式図である。
【発明を実施するための形態】
【００１２】
以下、図面を参照して本発明の実施形態について説明する。なお、以下に説明する実施の形態は、医療機関検索システムに対して本発明を適用した場合の実施形態である。
【００１３】
［１．医療機関検索システムの構成および機能概要］
まず、本発明の一実施形態に係る医療機関検索システムの構成および概要機能について、図１を用いて説明する。
【００１４】
図１は、本実施形態に係る医療機関検索システム１の概要構成例を示す模式図である。
【００１５】
図１に示すように、医療機関検索システム１は、医療機関の検索の処理を行う情報処理サーバ装置１０と、検索の入力を受け付ける複数の端末装置２０と、を備える。
【００１６】
情報処理サーバ装置１０は、クリニック、診療所等の地域に根ざした比較的小規模の医療機関を検索するための検索サーバである。情報処理サーバ装置１０は、医療機関検索装置の一例である。また、情報処理サーバ装置１０は、表示制御装置の一例である。
【００１７】
端末装置２０は、大病院、医療センター等の比較的大規模の各医療機関に設置されている。端末装置２０は、表示制御装置の一例である。
【００１８】
情報処理サーバ装置１０および各端末装置２０は、ネットワーク３を介して、例えば、通信プロトコルにＴＣＰ／ＩＰ等を用いて相互にデータの送受信が可能になっている。なお、ネットワーク３は、例えば、インターネット、専用通信回線（例えば、ＣＡＴＶ（Community Antenna Television）回線）、移動体通信網（基地局等を含む）、およびゲートウェイ等により構築されている。
【００１９】
なお、情報処理サーバ装置１０は、さらに、ネットワーク３を介して、外部サーバや、クリニック、診療所等の端末に接続してもよい。また、情報処理サーバ装置１０は、電子カルテのサーバと、ネットワーク３、または、ＬＡＮ（Local Area Network）を介して、接続していてもよい。また、情報処理サーバ装置１０の機能は、クラウドコンピューティングによって実現されてもよい。
【００２０】
情報処理サーバ装置１０は、大病院等の比較的大規模な医療機関から、地域の比較的小規模の医療機関へ、患者を逆紹介する際、患者に適した医療機関を検索する。
【００２１】
従来、比較的大規模な医療機関で治療を終え、患者が通いやすい地域のクリニック等の医療機関を紹介する際、クリニック等の診療科目等で検索しても、検索された医療機関で、実際に必要な処置を施すことが難しかった。特に、大病院の医療連携室において、患者に適した医療機関を検索することが難しかった。
【００２２】
［２．情報処理サーバ装置および各端末装置の構成および機能］
（２．１  情報処理サーバ装置１０の構成および機能）
次に、情報処理サーバ装置１０の構成および機能について、図２から図６を用いて説明する。
【００２３】
図２は、情報処理サーバ装置１０の概要構成の一例を示すブロック図である。図３Ａは、処置対応項目データベースに記憶されたデータの一例を示す模式図である。図３Ｂは、処置対応項目のレベルと対応力との関係の一例を示す模式図である。図４は、合併症データベースに記憶されたデータの一例を示す模式図である。図５は、医療機関データベースに記憶されたデータの一例を示す模式図である。図６は、評価データベースに記憶されたデータの一例を示す模式図である。
【００２４】
図２に示すように、情報処理サーバ装置１０は、通信部１１と、記憶部１２と、表示部１３と、操作部１４と、入出力インターフェース部１５と、制御部１６と、を備えている。そして、制御部１６と入出力インターフェース部１５とは、システムバス１７を介して接続されている。
【００２５】
通信部１１は、ネットワーク３に接続して、各端末装置２０との通信状態を制御するようになっている。
【００２６】
記憶部１２（記憶手段の一例）は、例えば、ハードディスクドライブ、シリコンディスクドライブ等により構成されており、オペレーティングシステムおよびサーバプログラム等の各種プログラムやＨＴＭＬ等のマークアップ言語等により記述されたウェブページのファイル等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００２７】
また、記憶部１２には、疾患名と、疾患名の疾患に処置して対応する能力を示す処置対応項目とを紐付けて記憶した処置対応項目データベース１２ａ（以下「処置対応項目ＤＢ１２ａ」とする。）、疾患名と合併症の疾患名とを紐付けて記憶した合併症データベース１２ｂ（以下「合併症ＤＢ１２ｂ」とする。）、各医療機関の情報を記憶した医療機関データベース１２ｃ（以下「医療機関ＤＢ１２ｃ」とする。）、各医療機関を評価した評価データベース１２ｄ（以下「評価ＤＢ１２ｄ」とする。）等が構築されている。
【００２８】
処置対応項目ＤＢ１２ａ（項目記憶手段の一例）には、処置対応項目を識別するための識別子である処置対応項目ＩＤに関連付けられ、疾患名と、処置対応項目とが記憶されている。１つの疾患名に対して少なくとも１つの処置対応項目が対応している。なお、疾患名の代わりに、疾患名を識別する識別子である疾患名ＩＤでもよい。また、図３Ａに示すように、処置対応項目ＩＤは、疾患名ＩＤに対して、枝番を設けたＩＤでもよい。
【００２９】
図３Ａに示すように、例えば、疾患名“Ａ疾患”に対して、処置対応項目の一例の“第１処置対応力”、“第２処置対応力”等が記憶されている。例えば、疾患名“Ｂ疾患”に対して、処置対応項目の一例の“第１処置対応力”、“第２処置対応力”等が記憶されている。また、例えば、疾患名“逆流性食道炎”に対して、処置対応項目の一例の第１処置対応力として“薬剤調整ができる”、第２処置対応力として“重症例の対応ができる”等が記憶されている。また、例えば、疾患名“炎症性腸疾患”に対して、処置対応項目の一例の第１処置対応力として“経過観察ができる”、第２処置対応力として“薬剤調整ができる”、第３処置対応力として“生物製剤が取り扱える”等が記憶されている。また、例えば、疾患名“虚血性心疾患”に対して、処置対応項目の一例の第１処置対応力として“経過観察ができる”、第２処置対応力として“薬剤調整ができる”等が記憶されている。
【００３０】
ここで、処置対応力は、疾患名の疾患に処置して対応する能力である。また、処置対応力は、治療方針の立案の能力でもある。また、治療方針は検査や身体所見などから医学的見地に基づき総合的に判断される診療の方針のことである。
【００３１】
図３Ｂに示すように、処置対応力を示す処置対応項目は、疾患名に対して複数あるときは、各処置対応項目の間でレベルが存在し、処置の難易度によりレベルに分かれている。このレベルは、処置がしやすい順番である。処置の難易度は、患者の疾患の重症度と対応するので、このレベルは、患者の疾患の重症度対応した処置に応じた順番である。
【００３２】
第１処置対応力の項目は、第２処置対応力より処置しやすい事項を示し、または、医療機関で対応しやすい処置を示している。第２処置対応力の項目は、第３処置対応力より処置しやすい事項を示し、または、医療機関でより対応しやすい処置を示している。また、重症度が軽い患者の場合、第１処置対応力で済む可能性が高く、逆に重症度が重い患者の場合、第２処置対応力、さらに第３処置対応力が必要になる可能性が高い。
【００３３】
具体的には、疾患名が“逆流性食道炎”の場合、“薬剤調整ができる”は、“重症例の対応ができる”よりも処置が容易である。また、疾患名が“炎症性腸疾患”の場合、“経過観察ができる”は、“薬剤調整ができる”よりも処置が容易で、“薬剤調整ができる”は、“生物製剤が取り扱える”よりも処置が容易である。また、疾患名が“虚血性心疾患”の場合、“経過観察ができる”は、“薬剤調整ができる”よりも処置が容易である。
【００３４】
なお、疾患名“逆流性食道炎”の処置対応項目“薬剤調整ができる”と、疾患名“炎症性腸疾患”の処置対応項目“薬剤調整ができる”とは、詳細な点では内容が異なってもよい。具体的には、薬剤調整ができる薬の種類が異なる。また、処置対応項目“経過観察ができる”に関しても、具体的処置の内容は疾患毎に詳細な点では異なってもよい。例えば、疾患名“慢性肝炎”の場合、キャリアの経過観察であり、疾患名“虚血性心疾患”の場合、慢性期の経過観察ができるであり、疾患名“虚血性心疾患”の場合、疼痛管理を含む経過観察である。
【００３５】
また、図３Ｂに示すように、各レベルの処置対応項目に対して、対応力の値が存在する。医療機関の対応力の値が、医療機関における処置対応項目の評価値となる。
【００３６】
なお、レベル１の処置対応項目に該当する医療機関は多く存在する可能性が高く、レベルが高くなるほど、該当する医療機関は少なくなる可能性が高い。
【００３７】
なお、図３Ａに示すように、各処置対応項目が記憶されている順番は、処置対応のレベルに応じて、すなわち、処置がしやすい順番、または、重症度対応した処置に応じた順であることが好ましい。
【００３８】
また、各疾患に対する処置対応項目の数に、上限を設けてもよい。例えば、上限数として、５〜９ぐらいが好ましい。また、疾患名の疾患に対する処置対応項目の数は同じでなくてもよく、各疾患名の疾患によって異なってもよい。ある疾患名の疾患に対する処置対応項目の数が２、別のある疾患名の疾患に対する処置対応項目の数が３、さらに別のある疾患名の疾患に対する処置対応項目の数が５等であってもよい。
【００３９】
更に、疾患名に対して、処置対応項目として症候群名が対応していてもよい。症候群は、処置の対応が比較的難しい場合が多く、レベルが後半の処置対応項目に入れることが好ましい。
【００４０】
合併症ＤＢ１２ｂには、図４に示すように、疾患名を識別する疾患名ＩＤに関連付けられて、疾患名、第１合併症名、第２合併症名、・・・等が記憶されている。例えば、“Ａ疾患”に対応する“Ａ疾患第１合併症”、“Ａ疾患第２合併症”等である。また、“Ｂ疾患”に対応する“Ｂ疾患第１合併症”、“炎症性腸疾患”に対応する“血清反応陰性脊椎関節症”、“慢性Ｂ型肝炎”に対応する“肝硬変”等である。
【００４１】
なお、合併症がない疾患、所定数以降の合併症がない場合、“Ｎ／Ａ”（not applicable)であってもよい。また、各合併症名は、合併症名を特定する疾患名ＩＤでもよい。
【００４２】
医療機関ＤＢ１２ｃには、図５に示すように、医療機関を識別する医療機関ＩＤに関連付けて、医療機関の名称、住所、診療科目等が記憶されている。
【００４３】
評価ＤＢ１２ｄ（評価記憶手段の一例）には、図６に示すように、医療機関ＩＤ毎に、各処置対応項目ＩＤに関連付けて、医療機関の処置対応力の評価値（医療機関を評価した評価情報の一例）が記憶されている。例えば、評価値の一例として、処置対応できない場合、“０”（または×）、処置対応できる場合、“２”（または○）、処置対応できる可能性がある（または、中間の能力）場合、“１”（または△）等が挙げられる。処置対応力の評価値は４段階評価や５段階評価であってもよい。例えば、４段階評価では、処置対応できない場合、“０”（または×）、処置対応できる可能性がある（または、中間の能力）場合“１”（または△）、処置対応できる場合、“２”（または○）、処置対応できるかどうか不明の場合、“３”（または空欄、Ｎ／Ａ）でもよい。これらの“１”、“２”等は、加算できない記号であっても、加算できる点数であってもよい。なお、図３Ｂに示すような対応力値が、評価値に対応する。
【００４４】
評価値は、医療機関に対するアンケートやヒアリング、医療機関のウェブページの内容、医療機関に関する公開データ等から算出してもよい。なお、処置対応項目は、各疾患に対して、最大６項目ほどであり、各処置対応項目は、重症度に応じたレベルに対応しているので、医療機関を評価しやすく、データベースを構築しやすい。また、処置対応項目は、各疾患に対して、最大６項目ほどであるので、検索した際、疾患名および症状による分類よりも適切に検索しやすくなる。
【００４５】
さらに、記憶部１２には、ＨＴＭＬ、ＸＭＬ等のマークアップ言語等により記述され、端末装置２０等に表示させるウェブページのファイル等が記憶されている。記憶部１２は、端末装置２０に提供する医療機関検索用のアプリを記憶していてもよい。
【００４６】
表示部１３（表示手段の一例）は、例えば、液晶表示素子または有機ＥＬ（Electro Luminescence）素子等によって構成されている。
【００４７】
操作部１４は、例えば、キーボードおよびマウス等によって構成されている。ユーザは、操作部１４により入力する。
【００４８】
入出力インターフェース部１５は、通信部１１等と制御部１６との間のインターフェース処理を行うようになっている。
【００４９】
制御部１６は、ＣＰＵ（Central Processing Unit）１６ａ、ＲＯＭ（Read Only Memory）１６ｂ、ＲＡＭ（Random Access Memory）１６ｃ（記憶手段の一例）等により構成されている。そして、制御部１６は、ＣＰＵ１６ａが、ＲＯＭ１６ｂや記憶部１２に記憶された各種プログラムを読み出し実行することにより、医療機関を検索する検索手段等として機能する。
【００５０】
（２．２  端末装置２０の構成および機能）
次に、端末装置２０の構成および機能について、図７を用いて説明する。
【００５１】
図７は、端末装置２０の概要構成の一例を示すブロック図である。
【００５２】
図７に示すように、コンピュータとして機能する端末装置２０は、例えば、パーソナルコンピュータやスマートフォンを含む携帯型無線電話機やＰＤＡ等の携帯端末であり、通信部２１と、記憶部２２と、表示部２３と、操作部２４と、入出力インターフェース部２５と、制御部２６とを備えている。そして、制御部２６と入出力インターフェース部２５とは、システムバス２７を介して接続されている。
【００５３】
通信部２１は、ネットワーク３を通して、情報処理サーバ装置１０等と通信を制御する。なお、端末装置２０が携帯端末装置の場合、ネットワーク３の移動体通信網に接続するために、通信部２１は、無線通信機能を有する。
【００５４】
記憶部２２は、例えば、ハードディスクドライブ、シリコンディスクドライブ等からなり、オペレーティングシステム、ウェブブラウザのプログラム等を記憶する。記憶部２２は、項目記憶手段の一例として、処置対応項目ＩＤに関連付けられ、疾患名と、処置対応項目とを記憶してもよい。
【００５５】
表示部２３（表示手段の一例）は、例えば、液晶表示素子または有機ＥＬ素子等によって構成されている。
【００５６】
操作部２４は、例えば、キーボードおよびマウス等によって構成されている。ユーザは、操作部２４により応答を入力する。なお、表示部２３がタッチパネルのようなタッチスイッチ方式の表示パネルの場合、操作部２４は、ユーザが接触または近接した表示部２３の位置情報を取得する。
【００５７】
入出力インターフェース部２５は、通信部２１および記憶部２２と制御部２６とのインターフェースである。
【００５８】
制御部２６は、例えば、ＣＰＵ２６ａと、ＲＯＭ２６ｂと、ＲＡＭ２６ｃとを有する。制御部２６は、ＣＰＵ２６ａが、ＲＯＭ２６ｂや、ＲＡＭ２６ｃや、記憶部２２に記憶された各種プログラムを読み出して実行する。例えば、制御部２６は、検索画面の表示のプログラムを実行し、検索結果等を表示する。また、制御部２６は、医療機関検索用のウェブブラウザ、または、医療機関検索用のアプリ等を実行してもよい。ＲＡＭ２６ｃは、項目記憶手段の一例として、処置対応項目ＩＤに関連付けられ、疾患名と、処置対応項目とを一時的に記憶してもよい。
【００５９】
［３．医療機関検索システムの動作］
（３．１  医療機関検索システムの動作例）
次に、本発明の１実施形態に係る医療機関検索システム１の動作について図８から図１１を用い説明する。
【００６０】
図８は、端末装置２０における検索画面の一例を示す模式図である。図９は、医療機関検索システム１の動作例を示すフローチャートである。図１０および図１１は、端末装置２０における検索画面の一例を示す模式図である。
【００６１】
まず、医療機関を逆紹介することが生じた大病院等の端末装置２０が、検索画面を開くため、情報処理サーバ装置１０に、端末装置２０を識別する端末ＩＤと共に、検索画面の表示の要求をする。
【００６２】
情報処理サーバ装置１０は、端末装置２０から検索画面の表示の要求を受け付け、検索要求してきた端末装置２０に検索画面の表示の情報を送信する。
【００６３】
端末装置２０は、図８に示すように、検索画面３０を表示部２３に表示する。検索画面３０は、ウェブページでもよいし、アプリでもよい。
【００６４】
端末装置２０のユーザは、疾患名入力欄３１に、操作部２４により患者の疾患名を入力する。例えば、図８に示すように、疾患名“炎症性腸疾患”が入力される。なお、電子カルテのサーバと連携して、患者の患者ＩＤを入力して、疾患名入力欄３１に疾患名が表示されてもよい。
【００６５】
リターンキーが押されたり、確定ボタンがクリックされたりしたとき、端末装置２０は、疾患名入力欄３１に入力された疾患名の情報を、端末ＩＤと共に情報処理サーバ装置１０に送信する。
【００６６】
このように、端末装置２０は、患者の疾患名の情報を取得する取得手段の一例として機能する。
【００６７】
次に、図９に示すように、医療機関検索システム１は、疾患名の情報を取得する（ステップＳ１）。具体的には、情報処理サーバ装置１０の制御部１６が、通信部１１を介して、疾患名の情報を端末ＩＤと共に端末装置２０から受信する。
【００６８】
このように、情報処理サーバ装置１０は、患者の疾患名の情報を取得する取得手段の一例として機能する。
【００６９】
次に、医療機関検索システム１は、疾患名に紐付いた処置対応項目を取得する（ステップＳ２）。具体的には、制御部１６が、取得した疾患名の情報に基づき、記憶部１２の処置対応項目ＤＢ１２ａを参照して、疾患名に紐付いた処置対応項目を抽出して取得する。例えば、制御部１６が、疾患名“炎症性腸疾患”に対して、処置対応項目“経過観察ができる”、処置対応項目“薬剤調整ができる”、処置対応項目“生物製剤が取り扱える”等の全ての処置対応項目および処置対応項目ＩＤを取得する。
【００７０】
なお、各端末装置２０が、処置対応項目ＤＢ１２ａのデータ内容を予め有しておいてもよい。医療機関検索アプリ等として、情報処理サーバ装置１０が、各端末装置２０が、処置対応項目ＤＢ１２ａのデータ内容を送信しておいてもよい。これらの場合、端末装置２０が、疾患名の情報に基づき、疾患名に紐付いた処置対応項目を取得する。情報処理サーバ装置１０は、疾患名の情報を直接取得せず、処置対応項目ＩＤに疾患名の情報が含まれるので、処置対応項目の情報のみを取得してもよい。
【００７１】
次に、医療機関検索システム１は、処置対応項目を出力する（ステップＳ３）。具体的には、制御部１６が、疾患名に関連して取得した処置対応項目の情報（例えば、処置対応項目名と、処置対応項目ＩＤ等）を、通信部１１を介して、端末装置２０に送信する。処置対応項目の情報を受信した端末装置２０は、各処置対応項目を表示した検索画面３０を表示部２３に表示する。例えば、図１０に示すように、端末装置２０の制御部２６は、疾患名入力欄３１の近傍にバルーン３２をポップアップさせ、バルーン３２に各処置対応項目を表示させる。なお、バルーンの代わりに、プルダウンメニュー等の何かしら選択できる項目表示ならばよい。
【００７２】
バルーン３２に表示させる処置対応項目の順番は、処置対応項目ＤＢ１２ａに記憶されている第１処置対応項目、第２処置対応項目等の順番でもよいし、患者の症状に応じて、推奨する処置対応項目の優先度の順でもよい。例えば、患者のカルテの情報に基づいて、患者の重症度に適したレベルの処置対応項目を先頭に表示する。また、バルーン３２内の処置対応項目のレベルの順番でなく、処置対応項目が強調表示されてもよい。また、バルーン表示の他に、処置対応項目の別ウインドウが開いてもよい。また、表示される処置対応項目は、省略形の処置対応項目“経過観察”、“薬剤調整”、“生物製剤”でもよい。
【００７３】
なお、情報処理サーバ装置１０は、処置対応項目のデータを端末装置２０の表示部２３に表示させるプログラムを出力してもよい。例えば、このプログラムにより、端末装置２０の制御部２６が、情報処理サーバ装置１０から処置対応項目のデータを受信して、表示部２３に表示させる。また、処置対応項目のデータを表示部２３に表示させるプログラムにより、制御部２６が、疾患名の情報に基づき、項目記憶手段の一例の記憶部２２またはＲＡＭ２６ｃが記憶している処置対応項目のデータを読み出し、表示部２３に表示させてもよい。
【００７４】
これらのように、情報処理サーバ装置１０は、前記疾患名の各前記処置対応項目を表示手段に出力させる項目出力手段の一例として機能する。情報処理サーバ装置１０は、前記疾患名の疾患に処置して対応する能力を示す少なくとも１つの処置対応項目を前記疾患名に紐付いて記憶した項目記憶手段から、前記取得した疾患名の情報に基づき、前記処置対応項目を取得して、表示手段に表示する制御をする項目表示制御手段の一例として機能する。端末装置２０は、前記疾患名の疾患に処置して対応する能力を示す少なくとも１つの処置対応項目を前記疾患名に紐付いて記憶した項目記憶手段から、前記取得した疾患名の情報に基づき、前記処置対応項目を取得して、表示手段に表示する制御をする項目表示制御手段の一例として機能する。
【００７５】
次に、医療機関検索システム１は、処置対応項目を選択する（ステップＳ４）。例えば、図１０に示すように、端末装置２０のユーザが、操作部２４等を使用して、バルーン３２に表示された処置対応項目の中から処置対応項目を選択する。端末装置２０は、図１０に示すように、選択された処置対応項目を選択処置対応項目欄３３に表示する。バルーン３２内において、選択している処置対応項目が強調表示されてもよい。選択が確定すると、端末装置２０が、選択された処置対応項目の処置対応項目ＩＤを、端末ＩＤと共に情報処理サーバ装置１０に送信する。情報処理サーバ装置１０の制御部１６が、端末装置２０から選択された処置対応項目の処置対応項目ＩＤを取得する。
【００７６】
なお、複数の処置対応項目が選択されてもよい。また、電子カルテ等の情報に基づき、情報処理サーバ装置１０または端末装置２０が処置対応項目を選択してもよい。
【００７７】
これらのように、情報処理サーバ装置１０は、患者の疾患名の疾患に処置して対応する能力を示す複数の処置対応項目の中から選択された前記処置対応項目を取得する項目取得手段の一例として機能する。情報処理サーバ装置１０は、前記処置対応項目が前記疾患名に紐付いて記憶した項目記憶手段を参照してユーザにより入力された前記疾患名に基づき抽出されて、前記ユーザに提示されて選択された前記処置対応項目を取得する項目取得手段の一例として機能する。
【００７８】
次に、医療機関検索システム１は、患者の住所を取得する（ステップＳ５）。例えば、図１０に示すように、端末装置２０のユーザは、住所入力欄３４に、操作部２４により患者の住所を入力する。なお、電子カルテのサーバと連携して、患者の患者ＩＤを入力して、住所入力欄３４に住所が表示されてもよい。端末装置２０は、住所入力欄３４に入力された住所の情報を、端末ＩＤと共に情報処理サーバ装置１０に送信する。制御部１６が、通信部１１を介して、患者の住所を端末ＩＤと共に端末装置２０から受信する。
【００７９】
次に、医療機関検索システム１は、検索を実行する（ステップＳ６）。具体的には、制御部１６が、選択された処置対応項目の処置対応項目ＩＤに基づき、記憶部１２の評価ＤＢ１２ｄを参照して、選択された処置対応項目の評価値が、所定の値である医療機関を検索して抽出する。例えば、制御部１６が、選択された処置対応項目の評価値が、“１”または“２”（“△”または“○”）の医療機関を抽出する。なお、評価値が評価点の場合、制御部１６が、選択された処置対応項目の評価点が１以上の医療機関を抽出してもよい。例えば、評価値“１”の場合、評価点は１点、評価値“２”の場合、評価点は２点とする。
【００８０】
複数の処置対応項目が選択されている場合、制御部１６が、ＡＮＤ条件、または、ＯＲ条件の医療機関を検索してもよい。評価値が評価点の場合で複数の処置対応項目が選択されている場合、制御部１６が、各処置対応項目の評価点の合計点が、所定以上の医療機関を検索してもよい。
【００８１】
次に、制御部１６が、抽出した医療機関の中から、取得した住所の情報に基づき、医療機関ＤＢ１２ｃを参照して、住所の位置から所定の範囲内にある医療機関に更に絞る。
【００８２】
次に、制御部１６が、検索結果の表示の順位付けをする。例えば、評価値や住所位置からの近さ等により、制御部１６が、順位付けを行う。
【００８３】
次に、制御部１６が、検索された医療機関の医療機関ＩＤおよび疾患名ＩＤに基づき、処置対応項目ＤＢ１２ａ、医療機関ＤＢ１２ｃ、および、評価ＤＢ１２ｄを参照して、検索された医療機関の名称、位置情報、距離情報、入力された疾患名、入力された疾患名の各処置対応項目、および、検索された医療機関毎の各処置対応項目の評価値の情報を取得する。
【００８４】
次に、制御部１６が、取得した情報から、検索結果を生成する。例えば、制御部１６が、図１１に示すように検索結果画面４０を表示するための情報を生成する。
【００８５】
ここで、例えば、検索結果画面４０は、図１１に示すように、地図表示４１と、検索された医療機関名表示４２と、医療機関の位置表示４３と、距離表示４４と、評価値表示４５とを有する。
【００８６】
評価値表示４５には、図１１に示すように、選択された処置対応項目が優先的（先頭、左端等）に表示されるようにしてもよい。端末装置２０のユーザが選択した処置対応項目が優先的に検索結果として表示されることにより、より検索結果を見やすく、または、より比較しやすくなる。なお、評価値表示４５には、処置対応項目が、第１処置対応力、第２処置対応力等の順に表示されるようにしてもよい。
【００８７】
また、表示する医療機関の順番に関して、図１１に示すように、制御部１６が、選択されていない他の処置対応項目の評価値も高い医療機関を優先的に表示するようにしてもよい。例えば、評価値”○  ○”は、評価値”○  △”より高く、評価値”○  △”は、評価値”○  ×”より高いと設定する。また、制御部１６が、住所からの距離が近い順で、医療機関を表示してもよいし、距離および評価値で、重み付けして、表示の優先順位を計算してもよい。
【００８８】
なお、制御部１６が、先に住所で医療機関を絞って、評価値が所定の値の医療機関を検索してもよい。
【００８９】
これらのように、情報処理サーバ装置１０は、前記疾患名の前記処置対応項目毎に対して医療機関を評価した評価情報を記憶した評価記憶手段から、前記取得した処置対応項目に基づき、前記評価情報に応じて医療機関を検索する検索手段の一例として機能する。情報処理サーバ装置１０は、前記取得した処置対応項目に対する評価情報の評価値が、所定の値の前記医療機関を検索する検索手段の一例として機能する。
【００９０】
次に、医療機関検索システム１は、検索結果を出力する（ステップＳ７）。具体的には、制御部１６が、検索結果を端末装置２０に送信する。例えば、制御部１６が、通信部１１を介して、図１１に示すように検索結果画面４０を表示するための情報を送信する。検索結果画面４０を表示するための情報を受信した端末装置２０は、図１１に示すように、検索結果画面４０を表示部２３に表示する。地図表示４１には、医療機関名表示４２が表示されるが、図１１に示すように、表示優先順位が高い医療機関の表示を強調してもよい。端末装置２０が、地図表示４１の地図情報を、情報処理サーバ装置１０以外から取得してもよい。
【００９１】
端末装置２０のユーザは、検索された医療機関の中から、検索結果画面４０に表示された中から、特定の医療機関を選択すると、選択された医療機関の詳細情報が表示されるようにしてもよい。具体的には、端末装置２０のユーザが、医療機関名表示４２のいずれかの医療機関をクリック等の選択をすると、端末装置２０は、選択された医療機関の医療機関ＩＤを、端末ＩＤと共に情報処理サーバ装置１０に送信する。情報処理サーバ装置１０は、受信した医療機関ＩＤに基づき、医療機関ＤＢ１２ｃを参照して、医療機関の情報を取得して、端末装置２０に送信する。端末装置２０は、医療機関の詳細情報を、表示部２３に表示する。
【００９２】
なお、情報処理サーバ装置１０は、検索結果を端末装置２０の表示部２３に表示させるプログラムを出力してもよい。例えば、このプログラムにより、端末装置２０の制御部２６が、情報処理サーバ装置１０から検索結果を受信して、表示部２３に表示させる。
【００９３】
これらのように、情報処理サーバ装置１０は、前記表示された処置対応項目から選択された処置対応項目に基づき、前記疾患名の前記処置対応項目毎に対して医療機関を評価した評価情報を記憶した評価記憶手段から前記医療機関を検索した検索結果を、前記表示手段に表示する制御をする検索結果表示制御手段の一例として機能する。端末装置２０は、前記表示された処置対応項目から選択された処置対応項目に基づき、前記疾患名の前記処置対応項目毎に対して医療機関を評価した評価情報を記憶した評価記憶手段から前記医療機関を検索した検索結果を、前記表示手段に表示する制御をする検索結果表示制御手段の一例として機能する。
【００９４】
以上、本実施形態によれば、疾患に処置して対応する能力を示す処置対応項目で疾患名を分類し、医療機関を疾患の各処置対応項目で評価した評価ＤＢ１２ｄを使用するので、患者の疾患に対する処置に合った医療機関を、精度よく検索することができる。特に、大病院での治療から診療所等の医療機関での治療に移るために、医療機関を検索する際、患者に合った医療機関を精度よく検索できる。
【００９５】
また、効率的に医療機関を検索できるので、通信のトラフィックを減少させることができる。また、疾患名に対して、処置対応項目により体系的に分類されているので、医療機関を評価する際、医療機関を評価し易すくなり、データベースがより構築しやすくなる。処置対応項目をユーザに提示した場合、疾患名に対して、処置対応項目により体系的に分類されているので、適切な処置対応項目を選択しやすくなる。
【００９６】
また、疾患名の疾患に対する複数の処置対応項目は、処置の難易度によりレベル分けされた処置対応項目である場合、対処対応項目が処置の難易度によりレベル分けされているので、疾患名に対して、より体系的に把握しやすく、医療機関を評価する際、医療機関を評価し易すくなり、データベースがより構築しやすくなる。処置対応項目をユーザに提示した場合、処置の難易度によりレベル分けされているので、さらに適切な処置対応項目を選択しやすくなる。特に、端末装置２０の検索画面３０において、疾患名入力欄３１に疾患名に関連してバルーン３２内に複数の処置対応項目をレベルの順番に表示させることにより、ユーザにとって、分かりやすく、選択しやすくなる。
【００９７】
また、１つの前記疾患名の疾患に対する前記処置対応項目の数に、上限を設けた場合、評価する処置対応項目が限られるので、医療機関を評価する際、医療機関を数値的に評価し易すくなり、データベースがより構築しやすくなり、データベースがよりコンパクトになる。また、評価ＤＢ１２ｄにおいて医療機関が処置対応項目にあまり細分化されないため、医療機関が検索にヒットしやすく、効率的に検索できる。処置対応項目をユーザに提示した場合、処置対応項目が限られるので、さらに適切な処置対応項目を選択しやすくなる。特に、端末装置２０の検索画面３０において、疾患名入力欄３１に疾患名に関連してバルーン３２内に数に制限がある処置対応項目を表示させることにより、ユーザにとって、分かりやすく、選択しやすくなる。
【００９８】
また、取得した処置対応項目に対する評価情報の評価値が、所定の値の医療機関を検索する場合、医療機関を評価する際、評価値によって医療機関を評価し易すくなり、データベースがより構築しやすくなる。また、医療機関を評価する際、点数評価の場合、医療機関を数値的に評価し易すくなり、データベースがより構築しやすくなる。数値化された評価点により、より検索の精度が高くなる。特に、合併症も考慮するように、複数の処置対応項目に基づく場合、総合的に、より検索の精度が高くなる。
【００９９】
また、処置対応項目が疾患名に紐付いて記憶した処置対応項目ＤＢ１２ａを参照してユーザにより入力された疾患名に基づき抽出されて、ユーザに提示されて選択された処置対応項目を取得する場合、ユーザにとって、分かりやすく、選択しやすくなる。ユーザの負担軽減になる。また、入力ミスが少なくなり、効率的に検索できる。また、端末装置２０の検索画面３０のバルーン３２内に複数の処置対応項目を、疾患名入力欄３１に疾患名に関連して表示させることにより、ユーザにとって、分かりやすく、選択しやすくなる。
【０１００】
また、疾患名の各処置対応項目を表示部２３等の表示手段に出力させる場合、疾患名に対して各処置対応項目が表示手段に表示されるので、処置対応項目を把握しやすく選択しやすくなる。特に、処置対応項目の処置の難易度のレベルに応じて順番に出力することにより、より把握しやすく選択しやすくなる。また、出力する処置対応項目の数を制限することにより、より把握しやすく選択しやすくなる。
【０１０１】
（３．２  医療機関検索システムの動作の変形例）
次に、医療機関検索システムの動作の変形例について、について図１１から図１３を用いて説明する。なお、前記実施形態と同一または対応する部分には、同一の符号を用いて異なる構成および動作のみを説明する。その他の実施形態および変形例も同様とする。前記実施形態と異なる動作について主に説明する。
【０１０２】
図１２は、医療機関検索システム１の動作の変形例を示すフローチャートである。図１３および図１４は、端末装置２０における検索画面の変形例を示す模式図である。
【０１０３】
図１２に示すように、医療機関検索システム１は、ステップＳ１のように、疾患名の情報を取得する（ステップＳ１０）。
【０１０４】
次に、医療機関検索システム１は、ステップＳ２のように、疾患名に紐付いた処置対応項目を取得する（ステップＳ１１）。
【０１０５】
次に、医療機関検索システム１は、疾患名に対応した合併症の情報を取得する（ステップＳ１２）。具体的には、制御部１６が、取得した疾患名の情報に基づき、記憶部１２の合併症ＤＢ１２ｂを参照して、疾患名に紐付いた合併症の情報を取得する。例えば、制御部１６が、疾患名“炎症性腸疾患”または“炎症性腸疾患”の疾患名ＩＤに対して、第１合併症名“血清反応陰性脊椎関節症”を取得する。合併症が複数あるときは、第２合併症名等も取得される。入力した疾患名以外でも、合併症があるかをリコメンドするために、疾患名に対する合併症の情報が取得される。なお、合併症がないときは、合併症の情報は取得されない。
【０１０６】
次に、医療機関検索システム１は、合併症を出力する（ステップＳ１３）。具体的には、制御部１６が、疾患名に関連して取得した合併症の情報（例えば、合併症名と、合併症ＩＤ等）を、通信部１１を介して、端末装置２０に送信する。図１３に示すように、合併症の情報を受信した端末装置２０は、合併症名を表示した検索画面３０Ａを表示部２３に表示する。
【０１０７】
例えば、図１３に示すように、端末装置２０の制御部２６は、検索画面３０Ａに候補の合併症名を表示する。入力された疾患名に対して合併症が複数ある場合、複数の合併症名が、検索画面３０Ａに表示される。例えば、バルーン表示により、複数の合併症の候補が表示される。
【０１０８】
次に、医療機関検索システム１は、合併症を選択する（ステップＳ１４）。例えば、図１３に示すように、端末装置２０のユーザが、操作部２４等を使用して、検索画面３０Ａに表示された合併症を選択または確定する。端末装置２０は、図１３に示すように、選択された合併症名を合併症表示欄３１Ａに表示する。バルーン内において、選択している合併症名が強調表示されてもよい。選択が確定すると、端末装置２０が、選択された合併症名の疾患名ＩＤを、端末ＩＤと共に情報処理サーバ装置１０に送信する。情報処理サーバ装置１０の制御部１６が、端末装置２０から選択された合併症名の疾患名ＩＤを取得する。なお、端末装置２０のユーザが合併症表示欄３１Ａに合併症名を入力してもよい。また、複数の合併症が選択されてもよい。
【０１０９】
次に、医療機関検索システム１は、疾患名および合併症の処置項目を出力する（ステップＳ１５）。基本的にステップＳ３のように、合併症の処置項目も出力する。具体的には、制御部１６が、疾患名入力欄３１に入力された疾患名に関連して取得した処置対応項目の情報と共に、選択された合併症の疾患名に関連して取得した処置対応項目の情報（例えば、処置対応項目名と、処置対応項目ＩＤ等）を、通信部１１を介して、端末装置２０に送信する。
【０１１０】
疾患名入力欄３１に入力された疾患名の処置対応項目の情報と、合併症の処置対応項目の情報とを受信した端末装置２０は、疾患名の各処置対応項目と合併症の各処置対応項目とを表示した検索画面３０Ａを表示部２３に表示する。例えば、合併症に関しても、図１３に示すように、端末装置２０の制御部２６は、合併症表示欄３１Ａの近傍にバルーン３２Ａをポップアップさせ、バルーン３２Ａに各処置対応項目を表示させる。
【０１１１】
次に、医療機関検索システム１は、基本的にステップＳ４のように、処置対応項目を選択する（ステップＳ１６）。合併症に関しても、例えば、図１３に示すように、端末装置２０のユーザが、操作部２４等を使用して、バルーン３２Ａに表示された処置対応項目の中から処置対応項目を選択する。端末装置２０は、図１３に示すように、選択された処置対応項目を選択処置対応項目欄３３Ａに表示する。バルーン３２Ａ内において、選択している処置対応項目が強調表示されてもよい。
【０１１２】
選択が確定すると、端末装置２０が、疾患名入力欄３１に入力された疾患名および合併症表示欄３１Ａに表示された合併症名に関して、選択された処置対応項目の各処置対応項目ＩＤを、端末ＩＤと共に情報処理サーバ装置１０に送信する。情報処理サーバ装置１０の制御部１６が、端末装置２０から、選択された各処置対応項目の処置対応項目ＩＤを取得する。
【０１１３】
次に、医療機関検索システム１は、ステップＳ５のように、患者の住所を取得する（ステップＳ１７）。
【０１１４】
次に、医療機関検索システム１は、基本的にステップＳ６のように、検索を実行する（ステップＳ１８）。具体的には、制御部１６が、選択された処置対応項目の各処置対応項目ＩＤに基づき、記憶部１２の評価ＤＢ１２ｄを参照して、選択された各処置対応項目の評価値が所定の値の医療機関を検索して抽出する。制御部１６が、ＡＮＤ条件、または、ＯＲ条件の医療機関を検索してもよい。このとき、制御部１６が、入力された疾患名に対する処置対応項目の評価値が“△”および“○”の医療機関と、合併症の処置対応項目の評価値が“△”および“○”の医療機関とを別々に検索してもよい。なお、評価値が評価点の場合、制御部１６が、選択された各処置対応項目の評価点の合計点が２以上の医療機関を抽出してもよい。
【０１１５】
次に、ステップＳ６のように、制御部１６が、抽出した医療機関の中から、取得した住所の情報に基づき、医療機関ＤＢ１２ｃを参照して、住所の位置から所定の範囲内にある医療機関に更に絞る。
【０１１６】
次に、ステップＳ６のように、制御部１６が、検索結果の表示の順位付けをする。例えば、評価値や住所位置からの近さ等により、制御部１６が、順位付けを行う。
【０１１７】
次に、ステップＳ６のように、制御部１６が、検索された医療機関の医療機関ＩＤおよび疾患名ＩＤに基づき、処置対応項目ＤＢ１２ａ、医療機関ＤＢ１２ｃ、および、評価ＤＢ１２ｄを参照して、検索された医療機関の名称、位置情報、距離情報、入力された疾患名、入力された疾患名の各処置対応項目、合併症の各処置対応項目、入力された疾患名の各処置対応項目の評価値、合併症の各処置対応項目の評価値の情報を検索された医療機関毎に取得する。
【０１１８】
次に、ステップ６のように、制御部１６が、取得した情報から、検索結果を生成する。例えば、制御部１６が、図１４に示すように検索結果画面４０Ａを表示するための情報を生成する。
【０１１９】
ここで、例えば、検索結果画面４０Ａは、図１４に示すように、地図表示４１と、検索された医療機関名表示４２と、医療機関の位置表示４３と、距離表示４４と、入力された疾患名の各処置対応項目の評価値表示４５と、合併症の各処置対応項目の評価値表示４５Ａとを有する。
【０１２０】
評価値表示４５Ａには、図１４に示すように、評価値表示４５と同様に、選択された処置対応項目が優先的（先頭、左端等）に表示されるようにしてもよいし、処置対応項目が、第１処置対応力、第２処置対応力等の順に表示されるようにしてもよい。
【０１２１】
また、表示する医療機関の順番に関して、図１１に示すように、制御部１６が、選択されていない他の処置対応項目の評価値も高い医療機関を優先的に表示するようにしてもよい。
【０１２２】
次に、医療機関検索システム１は、基本的にステップＳ７のように、検索結果を出力する（ステップＳ１９）。具体的には、制御部１６が、検索結果を端末装置２０に送信する。例えば、制御部１６が、通信部１１を介して、図１４に示すように検索結果画面４０Ａを表示するための情報を送信する。検索結果画面４０Ａを表示するための情報を受信した端末装置２０は、図１４に示すように、検索結果画面４０Ａを表示部２３に表示する。
【０１２３】
以上、本実施形態の変形例によれば、患者の疾患名に関連する合併症の複数の処置対応項目の中から選択された合併症の処置対応項目を取得し、評価ＤＢ１２ｄから、取得した合併症の処置対応項目に基づき、評価情報に応じて医療機関を検索することにより、合併症にも処置できる医療機関も検索できるので、患者の疾患に対する処置により合った医療機関を高精度に検索することができる。
【０１２４】
また、合併症の各処置対応項目を、表示部２３等の表示手段に出力させる場合、合併症の疾患名に対して各処置対応項目も合わせて、表示手段に表示して、ユーザに推奨できるので、入力しやすくなり、また、ユーザの負担軽減になる。また、入力ミスが少なくなり、効率的に検索できる。
【０１２５】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１２６】
１：医療機関検索システム
１０：情報処理サーバ装置（医療機関検索装置、表示制御装置）
１２：記憶部
１２ａ：処置対応項目データベース（項目記憶手段）
１２ｄ：評価データベース（評価記憶手段）
１６：制御部
２０：端末装置（表示制御装置）
２２：記憶部（項目記憶手段）
２３：表示部（表示手段）
２６：制御部
【図１】
2019046364.tif 000003
【図２】
2019046364.tif 000004
【図３Ａ】
2019046364.tif 000005
【図３Ｂ】
2019046364.tif 000006
【図４】
2019046364.tif 000007
【図５】
2019046364.tif 000008
【図６】
2019046364.tif 000009
【図７】
2019046364.tif 000010
【図８】
2019046364.tif 000011
【図９】
2019046364.tif 000012
【図１０】
2019046364.tif 000013
【図１１】
2019046364.tif 000014
【図１２】
2019046364.tif 000015
【図１３】
2019046364.tif 000016
【図１４】
2019046364.tif 000017